(57)【要約】      （修正有）【課題】火災発生時に上樹脂枠の脱落時期を適切にコントロールすることのできるサッシを提供する。【解決手段】上枠１０と下枠及び左右の縦枠を枠組みしてなる枠体内に障子を納めてなり、上枠１０は上金属枠の室内側に上樹脂枠３０を配設してなり、上樹脂枠３０は、上金属枠の内周面に重合する内周面部３０ｃを有すると共に、上金属枠に対して係止固定され、上樹脂枠３０の内周面部３０ｃと上金属枠の内周面の間には上樹脂枠３０に対して重量を付加する錘部材３１が設けられる。【選択図】図４
2014077327.tif 000002
【特許請求の範囲】
【請求項１】
上枠と下枠及び左右の縦枠を枠組みしてなる枠体内に障子を納めてなり、前記上枠は上金属枠の室内側に上樹脂枠を配設してなるサッシにおいて、
前記上樹脂枠は、前記上金属枠の内周面に重合する内周面部を有すると共に、前記上金属枠に対して係止固定され、前記上樹脂枠の内周面部と前記上金属枠の内周面の間には前記上樹脂枠に対して重量を付加する錘部材が設けられることを特徴とするサッシ。
【請求項２】
前記障子は内障子と外障子が引き違い状に設けられ、前記上金属枠は前記内障子を案内する上内レール部と、前記外障子を案内する上外レール部とを有し、前記上樹脂枠は前記上内レール部から上外レール部にかけて設けられることを特徴とする請求項１記載のサッシ。
【発明の詳細な説明】
【技術分野】
【０００１】
本発明は、建物開口部に設けられる枠体内に障子を納めてなるサッシに関し、特に上枠の室内側露出部分を覆う上樹脂枠の火災発生時における発火を防止したサッシに関する。
【背景技術】
【０００２】
建物開口部に設けられる枠体内に障子を納めてなるサッシにおいて、金属枠の室内側露出面を樹脂枠で被覆してなることにより、断熱性や意匠性を向上させることができる。このようなサッシとしては、例えば特許文献１に挙げるようなものがある。
【先行技術文献】
【特許文献】
【０００３】
【特許文献１】特開２０１２−１２２３０３号公報
【発明の概要】
【発明が解決しようとする課題】
【０００４】
サッシには、火災発生時に高温に晒されても容易に発火しない防火性能が求められる。上枠に設けられる上樹脂枠は、意匠性を高くするため、上金属枠に対してネジ止めされずに、係止のみによって固定されている。このため、火災発生時に高温に晒されると、上樹脂枠は軟化し、やがて脱落する。
【０００５】
上樹脂枠は、上金属枠に係止された状態では、枠体の上部にあるために火炎からの熱を受けやすく、脱落する前に発火温度に達して発火することがある。これは、樹脂材に含まれる燃焼成分が残ったまま急激に温度が上昇することにより引き起こされる。一方、上樹脂枠が発火する前に枠体の下部に脱落すると、火炎からの熱を直接的には受けにくくなるため、発火温度に達する前に燃焼成分が揮発し、発火しないまま残る可能性が高くなる。
【０００６】
したがって、火災が発生した場合には、上樹脂枠が早い段階で脱落することが望ましいが、上樹脂枠がどの段階で上金属枠から脱落するかは、係止状態の僅かな差や火災の状況などによってまちまちであり、落下時期を確実にコントロールすることは困難であった。
【０００７】
本発明は前記課題を鑑みてなされたものであり、火災発生時に上樹脂枠の脱落時期を適切にコントロールすることのできるサッシを提供することを目的とする。
【課題を解決するための手段】
【０００８】
前記課題を解決するため、請求項１の発明に係るサッシは、上枠と下枠及び左右の縦枠を枠組みしてなる枠体内に障子を納めてなり、前記上枠は上金属枠の室内側に上樹脂枠を配設してなるサッシにおいて、
前記上樹脂枠は、前記上金属枠の内周面に重合する内周面部を有すると共に、前記上金属枠に対して係止固定され、前記上樹脂枠の内周面部と前記上金属枠の内周面の間には前記上樹脂枠に対して重量を付加する錘部材が設けられることを特徴として構成されている。
【０００９】
請求項１に係る発明によれば、錘部材の重量により、火災発生時には上樹脂枠を早期にサッシ下部に脱落させることができる。
【００１０】
また、請求項２の発明に係るサッシは、前記障子は内障子と外障子が引き違い状に設けられ、前記上金属枠は前記内障子を案内する上内レール部と、前記外障子を案内する上外レール部とを有し、前記上樹脂枠は前記上内レール部から上外レール部にかけて設けられることを特徴として構成されている。
【００１１】
請求項２に係る発明によれば、引き違いサッシの上内レール部と上外レール部の間の領域における意匠性を良好にしつつ、火災発生時における上樹脂枠の落下時期及び落下位置を適切にコントロールすることができる。
【発明の効果】
【００１２】
本発明に係るサッシによれば、火災発生時に上樹脂枠の落下時期と落下位置を適切にコントロールして、上樹脂枠の発火または着火を防止することができる。
【図面の簡単な説明】
【００１３】
【図１】本実施形態におけるサッシの縦断面図である。
【図２】本実施形態におけるサッシの横断面図である。
【図３】上枠の底面図である。
【図４】上枠の拡大断面図である。
【図５】上枠と上樹脂枠の分解断面図である。
【発明を実施するための形態】
【００１４】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態のサッシは、上枠１０と下枠１１及び左右の縦枠１２，１２を方形状に枠組みしてなる枠体１内に内障子４と外障子５を引き違い状に納め、上枠１０には収納部２を設けて扉体３を収納すると共に、扉体３を引き出し自在としたシャッター付サッシとして構成されている。
【００１５】
内障子４と外障子５は、それぞれ上框４０と下框４１及び左右の縦框４２，４２を方形状に框組みしてなる框体６内に、ガラス板からなるパネル体７を納めて構成されている。枠体１を構成する下枠１１には、内障子４を長手方向に案内する内レール部３０と、外障子５を長手方向に案内する外レール部３１とが形成されている。また、枠体１を構成する上枠１０には、内障子４の上辺を長手方向に案内する上内レール部１０ａと、外障子５の上辺を長手方向に案内する上外レール部１０ｂとが形成されている。枠体１の室内側端部には、四周に渡って室内側に延出される樹脂製のアングル部材１４が取付けられている。
【００１６】
上枠１０に設けられた収納部２は、扉体３を巻き上げ自在に保持する巻き取り軸２０を内部に備え、下辺には扉体３を挿通させる開口部２１を備えている。扉体３は、縦方向に複数のスラット２２が連結されてなり、下端部には扉体３の略全幅に渡る幅木部材２３が設けられている。縦枠１２の室外側には、扉体３の両端部を案内するガイドレール部材１３が設けられている。
【００１７】
図３には、上枠１０の底面図を示している。この図において、図中左側に外障子５が配置され、図中右側に内障子４が配置される。上枠１０の上内レール部１０ａの室内側には、略全長に渡ってアングル部材１４が設けられる。
【００１８】
上枠１０の上内レール部１０ａと上外レール部１０ｂの間の領域には、中央部に風止板３２が設けられ、内障子４が配置される側の端部には、外障子ストッパー３４が設けられる。また、上枠１０の上内レール部１０ａと上外レール部１０ｂの間の領域において、外障子５が配置される側の端部には、上内レール部１０ａと上外レール部１０ｂの間の領域及び上内レール部１０ａより室内側の領域に跨がるように、内障子ストッパー３３が設けられる。内障子ストッパー３３と外障子ストッパー３４は、それぞれ樹脂製でブロック状に形成されてなり、内障子４及び外障子５を全開状態とした際に当接して、框体６と枠体１とが直接衝突しないようにするものである。
【００１９】
上枠１０の上内レール部１０ａと上外レール部１０ｂの間の領域のうち、外障子５が配置される側には、上樹脂枠３０が設けられる。上樹脂枠３０は、外障子５を閉じた状態で室内側に露出する上枠１０の上内レール部１０ａと上外レール部１０ｂの間の内周面を覆うように取付けられている。
【００２０】
図４には、上枠１０の拡大断面図を示している。この図に示すように、上樹脂枠３０の室内端部には、上内レール部１０ａの根元部に対して係止される室内係止部３０ａが形成され、上樹脂枠３０の室外端部には、上外レール部１０ｂの根元部に対して係止される室外係止部３０ｂが形成されている。室内係止部３０ａと室外係止部３０ｂの間は、上枠１０の内周面を覆うように重合する内周面部３０ｃとなっており、若干、内周面部３０ｃは下方に凸状となるように形成されている。このため、上樹脂枠３０の内周面部３０ｃと上枠１０の内周面との間には隙間が形成される。この隙間内に金属製の錘部材３１が設けられている。
【００２１】
図３に示すように、錘部材３１は上樹脂枠３０の長手方向に沿うように配置されている。図５には、上枠１０と上樹脂枠３０の分解断面図を示している。この図に示すように、錘部材３１は、上樹脂枠３０に対して載置されており、両面テープなどで仮止め固定されている。錘部材３１を載置した上樹脂枠３０は、上枠１０に対して室内係止部３０ａと室外係止部３０ｂでそれぞれ係止固定される。したがって、錘部材３１は上樹脂枠３０に載置されているだけで、上枠１０に対して固定されていない。
【００２２】
火災が発生してシャッター付サッシが高温に晒されると、上樹脂枠３０は次第に軟化し、室内係止部３０ａと室外係止部３０ｂによる係止状態が維持できずに、やがて上枠１０から脱落する。このとき、上樹脂枠３０に錘部材３１が設けられているため、上樹脂枠３０が軟化し始めた比較的早期に上枠１０から上樹脂枠３０を脱落させるよう、落下時期をコントロールすることができる。このために、錘部材３１の重量は、通常時における上樹脂枠３０の上枠１０に対する係止状態を維持することができ、かつ、上樹脂枠３０が軟化し始めた状態で上枠１０に対する係止状態を解除できるように設定する必要がある。
【００２３】
火災発生時には、サッシのうち上部の方が高温となるため、上樹脂枠３０の上枠１０からの脱落が遅いと、上樹脂枠３０が急激に温度上昇して発火温度に達する。このとき、上樹脂枠３０には、樹脂材に含まれる燃焼成分が残ったままとなるため、そのまま発火する可能性がある。一方で、上樹脂枠３０を火災発生時の早期に上枠１０から脱落させることで、上樹脂枠３０はサッシの下部でゆっくりと加熱され、発火温度に達する前に燃焼成分を揮発させることができるから、発火を防止することができる。
【００２４】
また、錘部材３１により上樹脂枠３０に重量が付加されていることから、上樹脂枠３０を枠体１付近にそのまま落下させることができる。これにより、上樹脂枠３０が不測の位置に落下することにより、サッシ外部からの炎等によって着火することを防止することができる。
【００２５】
以上、本発明の実施形態について説明したが、本発明の適用は本実施形態には限られず、その技術的思想の範囲内において様々に適用されうるものである。
【符号の説明】
【００２６】
１    枠体
２    収納部
３    扉体
４    内障子
５    外障子
６    框体
７    パネル体
１０    上枠
１０ａ  上内レール部
１０ｂ  上外レール部
１１    下枠
１２    縦枠
１３    ガイドレール部材
１４    アングル部材
２０    巻き取り軸
２１    開口部
２２    スラット
２３    幅木部材
３０    上樹脂枠
３０ａ  室内係止部
３０ｂ  室外係止部
３０ｃ  内周面部
３１    錘部材
４０    上框
４１    下框
４２    縦框
【図１】
2014077327.tif 000003
【図２】
2014077327.tif 000004
【図３】
2014077327.tif 000005
【図４】
2014077327.tif 000006
【図５】
2014077327.tif 000007